【事件の表示】
　特願２０１４−７８６３０号「車両用灯具」拒絶査定不服審判事件〔平成２７年１１月１２日出願公開、特開２０１５−２０１３０１号、請求項の数（５）〕について、次のとおり審決する。
【結　論】
　原査定を取り消す。
　本願の発明は、特許すべきものとする。
【理　由】
第１　手続の経緯
　本願は、平成２６年４月７日の出願であって、平成２９年１２月１５日付けで拒絶理由が通知され、平成３０年２月１４日に意見書及び手続補正書が提出され、同年７月２３日付けで拒絶査定（以下「原査定」という。）がされ、これに対し、同年１０月３０日に拒絶査定不服審判の請求がされたものである。
第２　原査定の概要
　原査定の概要は次のとおりである。
　本願の請求項１〜４に係る発明は、その出願前に日本国内又は外国において頒布された以下の引用文献１に記載された発明及び引用文献２に記載された技術事項に基いて、また、請求項５に係る発明は、その出願前に日本国内又は外国において頒布された以下の引用文献１に記載された発明及び引用文献２、３に記載された技術事項に基いて、その発明の属する技術の分野における通常の知識を有する者（以下「当業者」という。）が容易に発明できたものであるから、特許法第２９条第２項の規定により特許を受けることができない。
　引用文献等一覧
１．特開２００６−１５１３５７号公報
２．特開２０１２−９４３４７号公報
３．実願平１−７３０１０号（実開平３−１２３０１号）のマイクロフィルム
第３　本願発明
　本願請求項１〜５に係る発明（以下それぞれ「本願発明１」〜「本願発明５」という。）は、平成３０年２月１４日付けの手続補正により補正された特許請求の範囲の請求項１〜５に記載された事項により特定される発明であり、以下のとおりの発明である。
「　【請求項１】
　車両に搭載される灯具であって、
　透光性のフィルム、および当該フィルム上に配置された導電層を含む透明基板と、
　前記透明基板に支持され、前記導電層と電気的に接続された発光素子と、
　前記透明基板の端部において前記導電層と電気的に接続されたフレキシブル回路基板を含む接続部と、
　前記接続部と電気的に接続されたコネクタとを備える、灯具。
　　【請求項２】
　前記透明基板は、前記フレキシブル回路基板よりも低い可撓性を有する、請求項１に記載の灯具。
　　【請求項３】
　前記発光素子から出射された光が通過する透光カバーと、
　前記透光カバーと前記接続部の間に配置されており、前記コネクタを覆い隠すカバーとを備える、請求項１または２に記載の灯具。
　　【請求項４】
　前記コネクタは、前記フレキシブル回路基板の第１の面に配置されており、
　前記フレキシブル回路基板の第２の面における前記コネクタと対向する位置に、前記透明基板よりも低い可撓性を有する補強部材が設けられている、請求項１から３のいずれか一項に記載の灯具。
　　【請求項５】
　前記発光素子とは異なる光源を備え、
　前記発光素子は、前記透明基板の第１の側に光を出射し、
　前記光源から出射された光の少なくとも一部は、前記透明基板を通過して前記第１の側へ照射される、請求項１から４のいずれか一項に記載の灯具。」
第４　引用文献、引用発明等
１　引用文献１について
（１）引用文献１に記載された事項
　原査定の拒絶の理由に引用された引用文献１には、図面とともに次の事項が記載されている（下線は、当審が付した。以下同様である。）。
（１ａ）
「【請求項１】
　
発光ダイオードと、前記発光ダイオードの収納部を有し、前記発光ダイオードから放射された照明光を拡散するレンズと、導電部を有し、当該導電部が前記発光ダイオードに電気的に接続された配線部材とを備えた
照明装置。
【請求項２】
　前記配線部材は、表面に反射膜を有するフィルム状に形成され、前記レンズの表面に被着されていることを特徴とする請求項１に記載の照明装置。
【請求項３】
　前記レンズの収納部形成面以外の面に反射膜を備えたことを特徴とする請求項１に記載の照明装置。
【請求項４】
　前記配線部材の
導電部
透明導電材料をもって形成した
【請求項５】
　
前記レンズと一体に前記導電部と電気的に接続された外部接続コネクタを形成した
（１ｂ）
「【０００１】
　本発明は、
自動車用
照明装置
発光ダイオード（以下、「ＬＥＤ」と略称する。）
（１ｃ）
「【０００８】
　本発明は、かかる従来技術の不備を解決するためになされたものであり、その目的は、安価にして薄形の照明装置を提供すること、及びこのような照明装置を容易かつ安価に製造する方法を提供することにある。
【課題を解決するための手段】
【０００９】
　本発明は、前記の課題を解決するため、照明装置については、第１に、ＬＥＤと、前記ＬＥＤの収納部を有し、前記ＬＥＤから放射された照明光を拡散するレンズと、導電部を有し、当該導電部が前記ＬＥＤに電気的に接続された配線部材とを備えるという構成にした。
【００１０】
　かかる構成によると、レンズの一面に形成された収納部内にＬＥＤを収納するので、照明装置の全厚をレンズの厚さと配線部材の厚さの合計値にすることができ、照明装置の顕著な薄形化を図ることができる。また、ＬＥＤをレンズの一面に形成された収納部内に収納するので、ＬＥＤから放射された照明光を無駄なく
レンズの光出射面
（１ｄ）
「【００２７】
　まず、本発明の第１実施形態例に係る照明装置を、図１に基づいて説明する。図１は第１実施形態例に係る照明装置の断面図である。本例の照明装置は、レンズの片面に反射膜を備えたことを特徴とする。
・・・
【００３０】
　
レンズ２
透明樹脂の射出成形品をもって形成される
（１ｅ）
「【００３９】
　以下、第２実施形態例に係る照明装置１Ｂの製造方法を、図４に基づいて説明する。図４は第２実施形態例に係る照明装置１Ｂの製造手順を示すフロー図である。
【００４０】
　第１実施形態例に係る照明装置１Ａの製造手順と異なる点は、図２（ｂ）と図４（ｂ）との比較から明らかなように、転写フィルム１２として、フィルム基材１１の片面に絶縁層４ｂと導電部４ａとがこの順に形成されたものを用いる点である。そして、レンズ２の射出整形後、図４（ｄ）に示すように、フィルム基材１１を剥離し、収納部２ａの内面を除くレンズ２の収納部形成面２ｂに絶縁層４ｂを露出させると共に、収納部２ａの内面に被着された反射膜４ｃを除去する。フィルム基材１１の剥離と反射膜４ｃの選択的な除去は、フィルム基材１１と絶縁層４ｂとの接着強度を、
絶縁層４ｂと導電部４ａとの接着
導電部４ａとレンズ２との密着
（１ｆ）
「【００４６】
　次に、本発明の第４実施形態例に係る照明装置を、図６に基づいて説明する。図６は第４実施形態例に係る照明装置の断面図である。本例の照明装置は、ＬＥＤ収納部の形成面より照明光を出射するようにレンズを構成したこと、及びレンズを押圧することによってスイッチを切換操作できるようにしたことを特徴とする。
【００４７】
　図５に示すように、本例の照明装置１Ｄは、配線部材４及び反射膜３１を有し、かつ収納部２ａ内にＬＥＤ３が収納されたレンズ２と、レンズ２を上下動可能に保持するレンズ筐体３２と、レンズ筐体３２及びスイッチ３３が取り付けられたプリント配線板３４と、配線部材４の導電部４ａとプリント配線板３４の導電部３４ａとを電気的に接続するフレキシブル配線板（接続手段）３５とから構成されている。
【００４８】
　配線部材４は、レンズ２の収納部形成面２ｂからそれに隣接する凸面（レンズ面）の一部にわたる部分に形成される。また、当該配線部材４の導電部４ａは、例えばＩＴＯ（インジウム−スズ酸化物）などの透明導電材料をもって形成される。その他の部分については、第２実施形態例に係る照明装置１Ｂと同じであるので、対応する部分に同一の符号を付して説明を省略する。
【００４９】
　反射膜３１は、配線部材４の形成部を除くレンズ２の凸面に形成される。この反射膜３１の形成は、レンズ２を成形した後、例えばアルミニウムなどの高反射率材料をスパッタリング又は真空蒸着することにより行うことができる。
【００５０】
　レンズ筐体３２は、金属材料又はプラスチック材料をもってレンズ２を保持可能な所要形状及び所要サイズの筒状に形成され、一端がプリント配線板３４の表面に取り付けられる。レンズ２は、反射膜３１をプリント配線板３４側に向けてレンズ筐体３２内に収納され、後述するスイッチ３３を切替操作可能な範囲で上下動できるようにレンズ筐体３２に対して取り付けられる。
【００５１】
　プリント配線板３４は、絶縁基板の片面又は両面に例えば銅箔などからなる導電部３４ａを形成したもので、図６に示すように、レンズ筐体３２の設定部の中心位置にスイッチ３３が実装されている。スイッチ３３としては、プッシュスイッチが用いられる。
【００５２】
　フレキシブル配線板３５は、可撓性を有する絶縁フィルムに銅箔などからなる導電部（図示省略）を形成したもので、配線部材４の導電部４ａとプリント配線板３４の導電部３４ａとを電気的に接続する。
【００５３】
　本例の照明装置１Ｄは、レンズ２をプリント配線板３４側に押圧する毎にスイッチ３３が切替操作され、ＬＥＤ３がオンオフされる。ＬＥＤ３から放射された照明光は、図６に示すように、レンズ面に形成された反射膜３１にて反射され、レンズ２の収納部形成面２ｂ及び透光性に形成された配線部材４の導電部４ａを通って外部に照射される。
【００５４】
　第４実施形態例に係る照明装置１Ｄは、レンズ２の押圧操作によりスイッチ３３の切替操作を行うので、スイッチ３３の切替操作を行うための特別な部材を省略することができ、照明装置の小型化及び低コスト化を図ることができる。
【００５５】
　なお、前記第４実施形態例に係る
照明装置１Ｄ
配線部材４の導電部４ａとプリント配線板３４の導電部３４ａとを電気的に接続するための接続手段としてフレキシブル配線板３５を備え
（１ｇ）
　図６は、以下のとおりである。
（２）引用文献１に記載された発明
ア
　段落【００３０】に記載された「レンズ２は」「透明樹脂の射出成形品をもって形成される」という構成、及び、段落【００４０】に記載された「導電部４ａとレンズ２との密着」という構成は、第４の実施形態とは別の実施形態の構成であるが、図６の第４の実施形態においても採用できることは明らかである。
イ
　段落【００１０】の「レンズの光出射面」という記載、及び、第４の実施形態の図６から、第４の実施形態について説明した段落【００５５】の「配線部材４の導電部４ａ」は、レンズ２の光出射面側の端部に位置する「配線部材４の導電部４ａ」であると認められる。
ウ
　上記ア、イ、摘記（１ａ）〜（１ｅ）及び図６（摘記（１ｇ））から、引用文献１の請求項１、４及び５に係る発明と図６における第４の実施形態とに着目すると、引用文献１には、次の発明（以下「引用発明」という。）が記載されていると認められる。
　［引用発明］
「ＬＥＤ３と、
　前記ＬＥＤ３の収納部２ａを有し、前記ＬＥＤ３から放射された照明光を拡散する、透明樹脂の射出成形品をもって形成される、レンズ２と、
　レンズ２と密着し透明導電材料をもって形成した導電部４ａを有し、当該導電部４ａが前記ＬＥＤ３に電気的に接続された配線部材４と、
　レンズ２の光出射面側の端部に位置する配線部材４の導電部４ａとプリント配線板３４の導電部３４ａとを電気的に接続するための接続手段としてフレキシブル配線板３５と、
　を備え、
　前記レンズ２と一体に前記導電部４ａと電気的に接続された外部接続コネクタを形成した、
　自動車用照明装置。」
２　引用文献２について
　原査定の拒絶の理由に引用された引用文献２には、図面とともに次の事項が記載されている。
（２ａ）
「【０００１】
本発明は、照明装置及び液晶表示装置に関する。より詳しくは、発光ダイオードを備えるエッジライト型の照明装置、及び、該照明装置を備える液晶表示装置に関する。
・・・
【０００８】
本発明は、上記現状に鑑みてなされたものであり、部品点数が減らされ、効率化されたＬＥＤ基板を備える照明装置を提供することを目的とするものである。」
（２ｂ）
「【００３２】
ＬＥＤ基板（発光ダイオード基板）１０３は、ＬＥＤを実装するための配線板であり、ＬＥＤを構成する各部材に加え、ＬＥＤに対して電源電圧を供給するための電極を有する。
ＬＥＤ基板（フレキシブル基板）の基材を構成する材料としては、イミド樹脂、エポキシ樹脂等が挙げられる。
【００３３】
固定板１０７は、ＬＥＤ基板をバックライトシャーシに固定するための部材
【００５１】
ＬＥＤ基板１０３はフレキシブル基板
３　引用文献３について
　原査定の拒絶の理由に引用された引用文献３には、図面とともに次の事項が記載されている。
（３ａ）
「本考案は上述したような問題点に鑑みなされたもので、その目的とするところは、１つの灯室内に表示機能の異なる複数種の光源を組み込むことにより小型軽量化を図った自動車用灯具を提供することにある。」（３ページ１０〜１４行）
（３ｂ）
［実施例］
「以下、本考案を図面に示す実施例に基づいて詳細に説明する。
　第１図は本考案に係る自動車用灯具の一実施例を示す断面図、第２図は同灯具の正面図である。これらの図において、２０は前面が開放する浅底箱型に形成された灯具ボディで、この灯具ボディ２０は合成樹脂等によって一体に形成されている。
　２２はガラス、合成樹脂等によって形成された透明な前面レンズで、この前面レンズ２２は前記灯具ボディ２０の前面開口部２１を閉鎖することにより、灯具ボディ２０と共に灯室２３を形成している。そして、前面レンズ２２の内面には小さな多数の凸レンズもしくは魚眼レンズからなる拡散レンズ２４が形成され、更に
内壁面には基板２５を保持する保持溝２６が設けられている。
　
前記基板２５は透明な合成樹脂等によって形成され、その表面には多数の発光ダイオード２７が実装されている。
リード線２７ａが前記透明基板２５に設けた挿通孔（図示せず）を貫通し、透明基板２５の裏面に形成された透明電極２８に電気的に接続されている。
　２９は前記基板２５の後方に配設された白熱電球のウェッジベースバルブで、このウェッジベースバルブ２９は後退灯の光源（第３の光源）を構成している。ウェッジベースバルブ２９と前記第１、第１の光源を構成する発光ダイオード２７Ａ、２７Ｂとは別個独立した電気回路を構成している。そして、前記灯具ボディ２０の中央部には取付け孔３０が形成されており、この取付け孔３０に前記ウェッジベースバルブ２９のソケット３１が嵌合されている。
　３２は前記基板２５の表面に形成されたレンズステップで、このレンズステップ３２は前記ウェッジベースバルブ２９から出射し基板２５を透過する光束３３を灯体の光軸と平行な平行光束にするもので、同心円状に形成された多数の環状突起からなるフレネルレンズで構成されている。
　このような構成からなる自動車用灯具において、ブレーキを踏むと、第１の光源である発光ダイオード２７Ａが点滅し、前面レンズ２２を赤色に照射する。進路変更する際、方向指示器を操作すると、第２の光源である発光ダイオード２７Ｂが点灯し、前面レンズ２４をアンバー色に照射する。この時、ブレーキを踏むと、発光ダイオード２７Ａが点滅し、アンバー色と赤色の斑照射となる。後退時にシフトレバーをバックに入れると、ウェッジベースバルブ２９が点灯し、その光が基板２５を透過して前面レンズ２３を白色に照射する。」（４ページ１０〜７ページ９行）
第５　対比・判断
１　本願発明１について
（１）対比
　本願発明１と引用発明とを対比する。
ア
（ア）
　引用発明の「前記ＬＥＤ３の収納部２ａを有し、前記ＬＥＤ３から放射された照明光を拡散する、透明樹脂の射出成形品をもって形成される、レンズ２」と、本願発明１の「透光性のフィルム」とは、「透光性の部材」の限りで共通している。
（イ）
　引用発明の「透明導電材料をもって形成した導電部４ａ」は、本願発明１の「導電層」に相当すること、及び、上記（ア）を踏まえると、引用発明の「レンズ２と密着し透明導電材料をもって形成した導電部４ａ」と、本願発明１の「当該フィルム上に配置された導電層」とは、「当該部材上に配置された導電層」の限りで共通している。
（ウ）
　そして、引用発明の「レンズ２」及び「導電部４ａ」は、いずれも「透明」であること、及び、上記（ア）、（イ）を踏まえると、引用発明の「前記ＬＥＤ３の収納部２ａを有し、前記ＬＥＤ３から放射された照明光を拡散する、透明樹脂の射出成形品をもって形成される、レンズ２」及び「レンズ２と密着し透明導電材料をもって形成した導電部４ａを有し、当該導電部４ａが前記ＬＥＤ３に電気的に接続された配線部材４」の構成と、本願発明１の「透光性のフィルム、および当該フィルム上に配置された導電層を含む透明基板」の構成とは、「透光性の部材、および当該部材上に配置された導電層を含む透明部材」の構成の限りで共通している。
イ
（ア）
　引用発明において、「レンズ２」は、「前記ＬＥＤ３の収納部２ａを有し」ているから、引用発明の「ＬＥＤ３」は、「レンズ２」に「収納」されることで、「レンズ２」に支持される構成を備えるといえる。
（イ）
　引用発明は、「当該導電部４ａが前記ＬＥＤ３に電気的に接続された配線部材４」「を備え」るから、引用発明の「ＬＥＤ３」は、「配線部材４」の「導電部４ａ」と「電気的に接続され」ている構成を備えるといえる。
（ウ）
　上記ア（ウ）を踏まえると、引用発明の「レンズ２」は、透明部材の一部を構成しているといえる。
　したがって、引用発明の上記（ア）、（イ）の構成を備える「ＬＥＤ３」と、本願発明１の「前記透明基板に支持され、前記導電層と電気的に接続された発光素子」とは、「前記透明部材に支持され、前記導電層と電気的に接続された発光素子」の限りで共通している。
ウ
（ア）
　引用発明の「接続手段として」の「フレキシブル配線板３５」は、本願発明１の「フレキシブル回路基板を含む接続部」に相当する。
　また、引用発明の「接続手段として」の「フレキシブル配線板３５」は、「レンズ２の光出射面側の端部に位置する配線部材４の導電部４ａと」「電気的に接続する」ことから、「レンズ２の光出射面側の端部」において「配線部材４の導電部４ａと」「電気的に接続する」といえる。
（イ）
　したがって、引用発明の「配線部材４の導電部４ａ」は、本願発明１の「導電層」に相当すること（ア（イ））、引用発明の「レンズ２」は、透明部材の一部を構成しているといえること（上記イ（ウ））、及び、上記（ア）を踏まえると、引用発明の「レンズ２の光出射面側の端部に位置する配線部材４の導電部４ａとプリント配線板３４の導電部３４ａとを電気的に接続するための接続手段としてフレキシブル配線板３５」と、本願発明１の「前記透明基板の端部において前記導電層と電気的に接続されたフレキシブル回路基板を含む接続部」とは、「前記透明部材の端部において前記と電気的に接続されたフレキシブル回路基板を含む接続部」の限りで共通している。
エ
　引用発明の「前記導電部４ａと電気的に接続された外部接続コネクタ」は、本願発明１の「前記接続部と電気的に接続されたコネクタ」に相当する。
オ
　引用発明の「照明装置」及び「自動車用照明装置」は、それぞれ、本願発明１の「灯具」及び「車両に搭載される灯具」に相当する。
　以上から、本願発明１と引用発明との一致点及び相違点は、以下のとおりである。
＜一致点＞
「車両に搭載される灯具であって、
　透光性の部材、および当該部材上に配置された導電層を含む透明部材と、
　前記透明部材に支持され、前記導電層と電気的に接続された発光素子と、
　前記透明部材の端部において前記導電層と電気的に接続されたフレキシブル回路基板を含む接続部と、
　前記接続部と電気的に接続されたコネクタとを備える、灯具。」
＜相違点＞
　「透光性の部材、および当該部材上に配置された導電層を含む透明部材」が、本願発明１では、「透光性のフィルム、および当該フィルム上に配置された導電層を含む透明基板」であるのに対して、引用発明では、「前記ＬＥＤ３の収納部２ａを有し、前記ＬＥＤ３から放射された照明光を拡散する、透明樹脂の射出成形品をもって形成される、レンズ２」及び「レンズ２と密着し透明導電材料をもって形成した導電部４ａを有し、当該導電部４ａが前記ＬＥＤ３に電気的に接続された配線部材４」である点。
（２）相違点についての判断
ア
　引用文献２（摘記（２ｂ）の段落【００３３】等参照）には、「ＬＥＤ基板（フレキシブル基板）の基材を構成する材料としては、イミド樹脂、エポキシ樹脂等が挙げられる。」等が記載されているが、透明基板は記載されておらず、本願発明１の「透光性のフィルム、および当該フィルム上に配置された導電層を含む透明基板」（特に、「透光性のフィルム」及び「透明基板」という構成）すなわち上記相違点に係る本願発明１の構成は、引用文献２にも、記載も示唆もされていない。
イ
　また、本願発明１の「透明基板」に対応している引用発明の「透明樹脂の射出成形品をもって形成される、レンズ２」及び「透明導電材料をもって形成した導電部４ａ」は、いずれも「透明」であるが（上記（１）ア（ウ））、引用文献２には、「透明基板」に対応する部材は記載されておらず（上記ア参照）、引用文献１（引用発明）と引用文献２とでは、解決しようとする課題も異なるから（摘記（１ｃ）及び（２ａ）参照）、引用発明に引用文献２に記載された技術事項を適用する動機付けは存在しないといえる。
　なお、原査定において、本願発明５に対して引用され、本願発明１に対して引用されたものではないが、引用文献３についても、念のため、以下に検討する。
　引用文献３（摘記（３ｂ）参照）には、「透明基板２５の裏面に形成された透明電極２８」が記載されているが、引用文献３にも、本願発明１の「透光性のフィルム、および当該フィルム上に配置された導電層を含む透明基板」（特に、「透光性のフィルム」という構成）すなわち上記相違点に係る本願発明１の構成は、記載も示唆もされておらず、引用文献１（引用発明）と引用文献３とでは、解決しようとする課題も異なるから（摘記（１ｃ）及び（３ａ）参照）、「透明」な構成が共通しているというだけでは、引用発明に引用文献３に記載された技術事項を適用する動機付けが充分にあるとはいえないし、仮に、引用発明に、引用文献３に記載された技術事項（透明基板２５等の構成）を適用することができたとしても、本願発明１が備える「透光性のフィルム」の構成が得られるものではない。
ウ
　さらに、引用発明の「レンズ２」は、「ＬＥＤ３の収納部２ａを有し」ているところ、「レンズ」や「収納部」の機能等に関して、引用文献１（摘記（１ｃ）〜（１ｅ）参照）には、「前記の課題を解決するため、照明装置については、第１に、ＬＥＤと、前記ＬＥＤの収納部を有し、前記
ＬＥＤから放射された照明光を拡散するレンズ
収納部内にＬＥＤを収納するので
薄形化を図ることができる
ＬＥＤをレンズの一面に形成された収納部内に収納するので、ＬＥＤから放射された照明光を無駄なくレンズの光出射面に導くことができ
照明装置の低コスト化を図ることができる
レンズ２は、照明装置のカバーを兼ねる
レンズ２の押圧操作によりスイッチ３３の切替操作を行うので、
特別な部材を省略することができ、照明装置の小型化及び低コスト化を図ることができる。
　引用発明において、本願発明１の「透明基板」を構成しようとして、「レンズ２」を透光性のフィルムに代えてしまうと、レンズでなく収納部も備えないものとなり、上記の「拡散」、「薄形化」、「ＬＥＤから放射された照明光を無駄なくレンズの光出射面に導く」、「カバーを兼ねる」及び「切替操作」等の「レンズ２」や「収納部２ａ」に係る機能を維持することができなくなってしまうから、引用発明の「レンズ２」を、本願発明１の「透光性のフィルム」に代えることに、阻害要因があることは、明らかである。
エ
　以上のとおりであるから、上記相違点に係る本願発明１の構成を想到することは、当業者であっても容易になし得たとはいえない。
　したがって、本願発明１は、引用発明及び引用文献２、３に記載された技術事項に基いて当業者が容易に発明できたものであるとはいえない。
２　本願発明２〜５について
　本願発明２〜５は、本願発明１の発明特定事項を全て含み、さらに限定したものであるから、本願発明１と同様に、引用発明及び引用文献２、３に記載された技術事項に基いて当業者が容易に発明できたものとはいえない。
第６　むすび
　以上のとおり、原査定の理由によっては、本願を拒絶すべきものとすることはできない。
　また、他に本願を拒絶すべき理由を発見しない。
　よって、結論のとおり審決する。